(57)【要約】【課題】標準時刻電波に基づく時刻から設定時間分だけ加算又は減算することにより、使用者のニーズに応じた時刻を表示可能な電波時計装置を提供すること。【解決手段】ＣＰＵ３０は、標準時刻受信回路１０により受信された標準時刻電波に基づく現在の時刻に対し、記憶部２０により記憶された設定時間を加算又は減算して表示時刻を算出する。表示部４０は、ＣＰＵ３０に算出された表示時刻を表示する。【選択図】　図１
2004053281.tif 000002
【特許請求の範囲】
【請求項１】
標準時刻情報を有する標準時刻電波を受信する受信手段と、
使用者によって予め設定された設定時間を記憶する記憶手段と、
前記受信手段により受信された前記標準時刻電波の前記標準時刻及び前記記憶手段により記憶された前記設定時間に基づいて、現在の時刻に対し前記設定時間を加算又は減算して表示時刻を算出する算出手段と、
前記算出手段により算出された前記表示時刻を表示する表示手段と、
を備えることを特徴とする電波時計装置。
【請求項２】
前記算出手段における加算及び減算の処理を禁止させる禁止手段を更に備えることを特徴とする請求項１記載の電波時計装置。
【請求項３】
前記設定時間を変更するための変更手段を更に備えることを特徴とする請求項１又は２に記載の電波時計装置。
【請求項４】
前記表示手段は、前記設定時間を表示可能とされていることを特徴とする請求項１〜３のいずれかに記載の電波時計装置。
【発明の詳細な説明】
【０００１】
【発明の属する技術分野】
本発明は、標準時刻電波を受信可能な電波時計装置に関する。
【０００２】
【従来の技術】
従来、例えば、特開２００１−２０９１１１号に開示されているように、標準時刻情報を有する標準時刻電波を受信して、表示時刻を修正する電波時計装置が知られている。
【０００３】
【発明が解決しようとする課題】
しかし、従来の電波時計装置では、表示時刻は標準時刻電波に基づく標準時刻に修正されてしまう。すなわち、使用者には、表示時刻を多少進ませておきたい場合や遅らせておきたい場合などがあるが、これらの場合においても表示時刻は標準時刻に修正されてしまう。従って、電波時計装置では、進ませて又は遅らせて時刻表示することができず、使用者のニーズに応じた時刻表示が行えない。
【０００４】
本発明は、上記問題点を解消する為になされたものであり、使用者のニーズに応じた時刻を表示可能な電波時計装置を提供することを目的とする。
【０００５】
【課題を解決するための手段】
このような目的を達成するために、本発明に係る電波時計装置は、標準時刻情報を有する標準時刻電波を受信する受信手段と、使用者によって予め設定された設定時間を記憶する記憶手段と、受信手段により受信された標準時刻電波の標準時刻及び記憶手段により記憶された設定時間に基づいて、現在の時刻に対し設定時間を加算又は減算して表示時刻を算出する算出手段と、算出手段により算出された表示時刻を表示する表示手段とを備えて構成されている。
【０００６】
この発明によれば、受信手段により受信された標準時刻電波に基づく現在の時刻に対し、記憶手段により記憶された設定時間を加算又は減算して表示時刻を算出する。このため、表示手段には、正確な時刻に対し所望時間だけ進ませた時刻又は遅らせた時刻が表示されることとなり、使用者のニーズに応じた時刻を表示することができる。
【０００７】
また、本発明に係る電波時計装置では、算出手段における加算及び減算の処理を禁止させる禁止手段を更に備えることを特徴とする。この場合には、禁止手段により加算又は減算の処理が禁止されるので、表示時刻は標準時刻電波に基づくものとなる。従って、通常の電波時計装置として使用することができる。
【０００８】
また、本発明に係る電波時計装置では、設定時間を変更するための変更手段を更に備えることを特徴とする。この場合には、変更手段により設定時間が変更されるので、より使用者のニーズに沿った電波時計装置を提供することができる。
【０００９】
また、本発明に係る電波時計装置では、設定時間を表示可能とされていることを特徴とする。この場合には、使用者は設定時間を確認することができる。
【００１０】
なお、本発明での時刻とは、日付に関する情報を含むものであってもよいし、含まないものであってもよい。
【００１１】
【発明の実施の形態】
以下、添付図面に基づき、本発明の実施形態について説明する。なお、図面の寸法比率は、説明のものと必ずしも一致していない。
【００１２】
本実施形態に係る電波時計装置について説明する。
【００１３】
図１は、本実施形態に係る電波時計装置の構成を示すブロック図である。図１に示すように、本実施形態に係る電波時計装置１は、標準時刻情報を有する標準時刻電波を受信して時刻の修正を可能としたものであって、標準時刻受信回路１０、記憶部２０、ＣＰＵ３０、水晶発振子３１、表示部４０、切替スイッチ５０及び変更スイッチ６０を備えている。ＣＰＵ３０を除くこれらの要素は、それぞれＣＰＵ３０に接続されている。また、切替スイッチ５０及び変更スイッチ６０は、ＣＰＵ３０に接続される側と反対側の端部が接地されている。
【００１４】
標準時刻受信回路１０は、標準時刻電波を受信する受信手段として機能するものであり、例えば、フェライトコアに導線を巻き回して構成された受信用アンテナ部に接続されている。記憶部２０は、ＣＰＵ３０に外付けされるメモリであり、使用者によって予め設定された設定時間を記憶する記憶手段として機能するものである。また、記憶部２０には、時刻に関する情報も記憶される。
【００１５】
ＣＰＵ３０は、標準時刻受信回路１０により受信された標準時刻電波の標準時刻及び記憶部２０により記憶された設定時間に基づいて、現在の時刻に対し設定時間を加算又は減算して表示時刻を算出する算出手段として機能する。また、ＣＰＵ３０は、電波時計装置１全体の制御を行うものである。水晶発振子３１は、基準となるクロックを発生させるものである。ＣＰＵ３０は、この基準となるクロックに基づいて秒分時、日月年のカウントアップを行う。
【００１６】
表示部４０は、ＣＰＵ３０により算出された表示時刻を表示する表示手段として機能し、例えば、ＬＣＤ（Ｌｉｑｕｉｄ　Ｃｒｙｓｔａｌ　Ｄｉｓｐｌａｙ）やＥＬ（Ｅｌｅｃｔｒｏ　Ｌｕｍｉｎｅｓｃｅｎｃｅ）等により構成される。
【００１７】
切替スイッチ５０は、ＣＰＵ３０における加算及び減算の処理を禁止させる禁止手段として機能するものである。切替スイッチ５０は、例えば、第１モードと第２モードとを切替可能とされており、切替スイッチ５０により第１モードが指定されている場合、ＣＰＵ３０は現在の時刻に対し設定時間を加算又は減算して表示時刻を算出する。一方、第２モードが指定されている場合、ＣＰＵ３０は加算及び減算の処理を行うことなく標準時刻電波に基づいて、表示時間の算出を行う。
【００１８】
変更スイッチ６０は、記憶部２０に記憶されている設定時間を変更する変更手段として機能するものであって、加算スイッチ６１及び減算スイッチ６２を備えている。加算スイッチ６１は、押下されることにより、記憶部２０に記憶されている設定時間をインクリメントする。減算スイッチ６２は、押下されることにより、記憶部２０に記憶されている設定時間をディクリメントする。
【００１９】
次に、電波時計装置１の時刻の修正に関する処理について図２を参照して説明する。
【００２０】
先ず、標準時刻電波の受信が開始され、Ｓ１において、標準時刻電波が正常に受信されたか否かが判断される。正常に受信されなかったと判断された場合、Ｓ７に移行し、水晶発振子３１に基づく時刻が記憶部２０にセットされ、その時刻がＳ６において表示部４０により表示される。その後、処理は終了する。
【００２１】
標準時刻電波が正常に受信されたと判断された場合、Ｓ２に移行し、標準時刻電波に基づく時刻が記憶部２０にセットされ、Ｓ３において加減算の要求があるか否かが判断される。加減算の要求がないと判断された場合、すなわち、切替スイッチ５０により第２モードが指定されている場合、標準時刻電波に基づく時刻がＳ６において表示部４０により表示される。その後、処理は終了する。
【００２２】
加減算の要求があると判断された場合、すなわち、切替スイッチ５０により第１モードが指定されている場合、Ｓ４に移行し、標準時刻電波に基づく標準時刻に対し設定時間が加算又は減算される。そして、Ｓ５において、加算又は減算された時刻が記憶部２０にセットされ、その時刻がＳ６において表示部４０により表示される。その後、処理は終了する。
【００２３】
次に、電波時計装置１の設定時間の変更及び設定時間の表示に関する処理について図３及び図４を参照して説明する。
【００２４】
先ず、図３のＳ１１において、加算スイッチ６１が押下されたか否か、すなわち、加算スイッチ６１がオンされたか否かが判断される。加算スイッチ６１がオンされたと判断された場合、処理はＳ１２に移行し、減算スイッチ６２が押下されたか否か、すなわち、減算スイッチ６２がオンされたか否かが判断される。減算スイッチ６２がオンされたと判断された場合、処理はＳ１３に移行する。
【００２５】
Ｓ１３では、タイマーがスタートする。ここでのタイマーによる計時は、水晶発振子３１から発生する基準クロックに基づいてＣＰＵ３０により行われる。そして、Ｓ１４に移行し設定時間が表示部４０に表示される。このように、記憶部２０に記憶される設定時間は、変更スイッチ６０に所定の操作がされることによって、表示される。
【００２６】
その後、Ｓ１５に移行し、タイマーによる計時が終了したか否かが判断される。タイマーによる計時が終了していないと判断された場合、処理はＳ１４に戻る。タイマーによる計時が終了したと判断された場合、処理は図４のＳ２３に移行する。
【００２７】
Ｓ２３では、加算スイッチ６１がオンされたか否かが判断される。加算スイッチ６１がオンされていないと判断された場合、一連の処理は終了する。加算スイッチ６１がオンされたと判断された場合、処理はＳ２４に移行し、Ｓ２４において減算スイッチ６２がオンされたか否かが判断される。減算スイッチ６２がオンされていないと判断された場合、一連の処理は終了する。減算スイッチ６２がオンされたと判断された場合、処理はＳ１４に戻る。すなわち、加算スイッチ６１及び減算スイッチ６２がオンされている間、表示部４０は設定時間を表示し続けることになる。
【００２８】
ところで、図３のＳ１１において、加算スイッチ６１がオンされていないと判断された場合、Ｓ１６に移行し、減算スイッチ６２がオンされたか否かが判断される。減算スイッチ６２がオンされていないと判断された場合、一連の処理は終了する。減算スイッチ６２がオンされたと判断された場合、処理はＳ１７に移行する。Ｓ１７からＳ１９の処理は、前述したＳ１３からＳ１５の処理と同じである。そして、Ｓ１９において、タイマーによる計時が終了したと判断された場合、処理は図４のＳ２５に移行する。
【００２９】
Ｓ２５では、減算スイッチ６２がオンされたか否かが判断される。減算スイッチ６２がオンされていないと判断された場合、一連の処理は終了する。減算スイッチ６２がオンされたと判断された場合、処理はＳ２６に移行する。Ｓ２６では、タイマーがスタートする。ここでのタイマーによる計時は、前述と同様に水晶発振子３１から発生する基準クロックに基づいてＣＰＵ３０により行われる。そして、Ｓ２７に移行し設定時間がディクリメントされる。このように、記憶部２０に記憶される設定時間は、変更スイッチ６０に所定の操作がされることによって、変更される。
【００３０】
その後、Ｓ２８において、変更された設定時間が表示され、Ｓ２９に移行し、タイマーによる計時が終了したか否かが判断される。タイマーによる計時が終了していないと判断された場合、処理はＳ２８に戻る。タイマーによる計時が終了したと判断された場合、処理はＳ３０に移行する。
【００３１】
Ｓ３０では、減算スイッチ６２がオンされたか否かが判断される。減算スイッチ６２がオンされたと判断された場合、処理はＳ２６に戻る。減算スイッチ６２がオンされていないと判断された場合、処理はＳ３１に移行する。Ｓ３１では、変更された設定時間が記憶部２０に記憶される。そして、一連の処理は終了する。
【００３２】
ところで、図３のＳ１２において、減算スイッチ６２がオンされていないと判断された場合、処理はＳ２０に移行する。Ｓ２０からＳ２２までの処理は、前述したＳ１３からＳ１５までの処理と同じである。そして、Ｓ２２において、タイマーによる計時が終了したと判断された場合、処理は図４のＳ３２に移行する。
【００３３】
Ｓ３２では、加算スイッチ６１がオンされたか否かが判断される。加算スイッチ６１がオンされていないと判断された場合、一連の処理は終了する。加算スイッチ６１がオンされたと判断された場合、処理はＳ２４に移行し、タイマーがスタートする。ここでのタイマーによる計時は、前述と同様に水晶発振子３１から発生する基準クロックに基づいてＣＰＵ３０により行われる。そして、Ｓ３４に移行し設定時間がインクリメントされる。このように、記憶部２０に記憶される設定時間は、変更スイッチ６０に所定の操作がされることによって、変更される。
【００３４】
その後、Ｓ３６において、変更された設定時間が表示され、Ｓ３６に移行し、タイマーによる計時が終了したか否かが判断される。タイマーによる計時が終了していないと判断された場合、処理はＳ３５に戻る。タイマーによる計時が終了したと判断された場合、処理はＳ３７に移行する。
【００３５】
Ｓ３７では、加算スイッチ６１がオンされたか否かが判断される。加算スイッチ６１がオンされたと判断された場合、処理はＳ３３に戻る。減算スイッチ６２がオンされていないと判断された場合、処理はＳ３８に移行する。Ｓ３８では、変更された設定時間が記憶部２０に記憶される。そして、一連の処理は終了する。
【００３６】
以上のように、本実施形態の電波時計装置１によれば、標準時刻受信回路１０により受信された標準時刻電波に基づく現在の時刻に対し、記憶部２０により記憶された設定時間を加算又は減算して表示時刻を算出する。このため、表示部４０には、正確な時刻に対し所望時間だけ進ませた時刻又は遅らせた時刻が表示されることとなり、使用者のニーズに応じた時刻を表示することができる。
【００３７】
また、本実施形態の電波時計装置１によれば、切替スイッチ５０により加算又は減算の処理が禁止されるので、表示時刻は標準時刻電波に基づくものとなる。従って、通常の電波時計装置として使用することができる。
【００３８】
また、本実施形態の電波時計装置１によれば、変更スイッチ６０により設定時間が変更されるので、より使用者のニーズに沿った電波時計装置を提供することができる。
【００３９】
また、本実施形態の電波時計装置１によれば、設定時間の表示が可能であるので、使用者は設定時間を容易に確認することができる。
【００４０】
なお、本実施形態では、標準時刻電波の標準時刻を現在の時刻である場合について説明したが、本発明はこれに限られるものではなく、標準時刻電波の受信に所定時間（例えば１分程度）掛かってしまった場合、標準時刻電波の標準時刻に補正時間（例えば１分）を加算した時刻（標準時刻＋１分）を現在の時刻とし、その現在の時刻に対し設定時間を加算又は減算して表示時刻を算出するようにしてもよい。
【００４１】
また、本実施形態では、記憶部２０が外付けのメモリとされているが、本発明はこれに限られるものではなく、記憶部２０はＣＰＵ３０に内蔵されていてもよい。
【００４２】
【発明の効果】
以上詳細に説明したように本発明によれば、正確な時刻に対し所望時間だけ進ませた時刻又は遅らせた時刻が表示されることとなり、使用者のニーズに応じた時刻を表示することができる。
【図面の簡単な説明】
【図１】本実施形態に係る電波時計装置の構成を示すブロック図である。
【図２】本実施形態に係る電波時計装置の時刻の修正に関する処理を示すフローチャートである。
【図３】本実施形態に係る電波時計装置の設定時間の変更及び設定時間の表示に関する処理の前半部分を示すフローチャートである。
【図４】本実施形態に係る電波時計装置の設定時間の変更及び設定時間の表示に関する処理の後半部分を示すフローチャートである。
【符号の説明】
１…電波時計装置、１０…標準時刻受信回路、２０…記憶部、３０…ＣＰＵ、４０…表示部、５０…切替スイッチ、６０…変更スイッチ、６１…加算スイッチ、６２…減算スイッチ。
【図１】
2004053281.tif 000003
【図２】
2004053281.tif 000004
【図３】
2004053281.tif 000005
【図４】
2004053281.tif 000006